(57)【要約】      （修正有）【課題】製造コスト及びパッケージングコストを削減することと、環境への影響がより小さいこととの両方を可能にする、デンタルフロスのパッケージ及び小出し構造を提供する。【解決手段】デンタルフロスパッケージが開示される。該パッケージは、ボックス形のボディを備え、デンタルフロスは糸巻きの形態で収容されることができ、該パッケージは、切断刃と、閉鎖ボディと、掛けて陳列するための開口３ｃが設けられている付属ボディ３とをさらに備え、付属ボディは、上記ボックス形のボディ又は上記閉鎖ボディと一体的に得られるが、弱化線６に沿って分離可能であり、ボックス形のボディ１及び閉鎖ボディ２もまた、一体的に得られると共に、細い折り目５に沿って接合されており、ボックス形のボディ１は、上記糸巻き４を囲む壁によって、閉鎖ボディ２と嵌合されている。【選択図】図１
0003192052.tif 000002
【実用新案登録請求の範囲】
【請求項１】
デンタルフロスが糸巻きの形状で収容され、ボックス形のボディを備え、切断刃と、閉鎖ボディと、掛けて陳列するための開口（３ｃ）が設けられている付属ボディ（３、２３）とをさらに備えるタイプのデンタルフロスパッケージであって、
前記付属ボディは、前記ボックス形のボディ又は前記閉鎖ボディと一体的に得られるが、弱化線（６）に沿って分離可能であり、
前記ボックス形のボディ（１、１１、２１、１１０）及び前記閉鎖ボディ（２、１２、２２、１２０）もまた、一体的に得られると共に、細い折り目（５）に沿って接合されており、
前記ボックス形のボディ（１、１１、２１、１１０）は、前記糸巻き（４）を囲む壁によって、前記閉鎖ボディ（２、１２、２２、１２０）と嵌合されていることを特徴とする、デンタルフロスパッケージ。
【請求項２】
前記細い折り目（５）を中心として１８０度倒される前記閉鎖ボディ（２、１２、２２、１２０）は、前記ボックス形のボディ（１）と結合されて、前記デンタルフロスの前記糸巻き（４）を囲むハウジングを形成することを特徴とする、請求項１に記載のデンタルフロスパッケージ。
【請求項３】
前記ボックス形のボディ（１、２１）及び前記閉鎖ボディ（２、２２）は実質的に平坦プレート（１ａ、２ａ）からなり、該平坦プレート（１ａ、２ａ）からは、互いに嵌合して前記ハウジングを形成する傾向にあるリブ及び外周壁（１ｂ、２ｂ）が垂直方向に突出している、請求項２に記載のデンタルフロスパッケージ。
【請求項４】
前記閉鎖ボディ（２、１２、２２、１２０）はカップ形である、請求項３に記載のデンタルフロスパッケージ。
【請求項５】
前記リブ（１ｂ）は、前記ボックス形のボディ（１）から隆起しており、前記デンタルフロスの出口用のスリット（１ｄ）を有し、前記外周壁（２ｂ）は、前記閉鎖ボディ（２）から隆起しており、前記スリット（１ｄ）の端とは反対の該外周壁（２ｂ）の端に、切断刃（２ｈ）用の固定部（２ｃ）を有する、請求項３に記載のデンタルフロスパッケージ。
【請求項６】
前記ボックス形のボディの前記平坦プレート（１ａ）には、前記出口スリット（１ｄ）と前記切断刃（２ｈ）とをつなぐ線が延びる位置に近接して切欠部（１ｇ）が形成されている、請求項５に記載のデンタルフロスパッケージ。
【請求項７】
前記パッケージの側壁の、前記出口スリット（１ｄ）と前記切断刃（２ｈ）とをつなぐ線によって影響を受ける領域には、ループ又はリセスが設けられている、請求項５に記載のデンタルフロスパッケージ。
【請求項８】
前記付属ボディ（２３）には、閉鎖シート（２５）によって閉鎖することができる、糸巻きを保管するためのハウジング（２４）が設けられている、請求項１に記載のデンタルフロスパッケージ。
【請求項９】
前記ボックス形のボディ（１、２１）、前記閉鎖ボディ（２、２２）、及び前記付属ボディ（３、２３）は、すべて一体的に得られる、請求項１に記載のデンタルフロスパッケージ。
【請求項１０】
前記ボックス形のボディ（１、１１、２１、１１０）と前記閉鎖ボディ（２、１２、２
２、１２０）との間には、互いに係合するキャッチ（１１１）及びリセス（１２１）が設けられている、請求項１に記載のデンタルフロスパッケージ。
【考案の詳細な説明】
【技術分野】
【０００１】
本考案は、単純化の観点と商業上のサプライチェーンの効率の観点との両方において革新的な特徴を有するデンタルフロスのパッケージに関する。
【背景技術】
【０００２】
いわゆる「デンタルフロス」が既知であり、あらゆる歯科技工士が自身の患者にその使用を推奨している。
【０００３】
現在のところ、デンタルフロスが公衆に利用可能になっている方法のうちの１つは、デンタルフロスを糸巻きの周囲に巻回することであり、該糸巻きは、巻き戻し手段及び切断手段が設けられている小さいボックスの中に配置されている。より正確には、このボックスには窓が設けられており、該窓の縁には、一端がわずかに隆起している小さい刃が施されている。そのようなすぐに使用することが可能なパッケージでは、糸巻きから出ているデンタルフロスの端は窓を通って伸びており、通常は窓の縁と刃との間に保持されている。フロスは、その一部を使用する必要があるときに、所望の長さが引き出されるまでその端が引っ張られ、次いで、刃の刃先に載せて切り取られる。
【０００４】
オリジナルのデンタルフロスディスペンサーボックスは、同一出願人の名義で特許文献１において開示されているディスペンサーボックスである。
【０００５】
そのようなボックスは通常、例えばハウジング及びカバーの形態で互いに取り付けられるか又は結合されなければならない、１つ又は２つの構成要素からなる。これによれば、２つの別個の部品を製造し、次いで、これらの間にフロス糸巻きを配置した後でこれらを共に接合することになる。推測され得るように、このことは、多くの場合に労働力を採用することによって処理されるリソースを扱うことを必要とする。
【０００６】
特許文献２は、上面からのアプリケーターの取り出しを可能にするように、２つのボックス構成要素が側縁に沿って蝶着されている別のタイプの容器を開示している。
【０００７】
これらのタイプの容器は、まさしく複雑なアプリケーターとして考案されており、デンタルフロスが使い切られると順次取り替えられる複数のデンタルフロス糸巻きを使用して、長持ちに適している。
【０００８】
これらのタイプの容器は、通常はパッケージングされ、典型的なブリスターパックに包まれてから販売のために陳列されることができる。
【０００９】
したがって、追加のパッケージングコストがかかり、パッケージの廃棄に起因して環境に多大な影響を及ぼす。
【００１０】
従来技術はまた、より単純でより経済的な他のタイプの使い捨てパッケージを提示しており、これらのパッケージも同様に販売用の陳列には適しているが、他の欠点を有する。そのような容器のいくつかが、特許文献３、特許文献４及び特許文献５に開示されている。これらの容器は概して、糸巻きハウジングとしての透明プラスチック材料の成形部分からなり、パッケージを閉鎖する平坦な厚紙と結合されている。これらのデバイスは、接着剤によって互いに結合される異なる性質の材料（プラスチック及び厚紙）を用いることを提案しており、このことは、接着／接合ステーションの使用を示唆し、加えて廃棄の問題を引き起こすことを示唆する。
【先行技術文献】
【特許文献】
【００１１】
【特許文献１】欧州共同体意匠（Community Design registration）第１６１８１５号
【特許文献２】米国特許出願公開第２００３０２９４７２号
【特許文献３】米国特許第３５１２６３４号
【特許文献４】米国特許第５９１３４１８号
【特許文献５】欧州特許出願公開第０６６６２２４号
【考案の概要】
【考案が解決しようとする課題】
【００１２】
本考案の基礎となる課題は、上述の欠点を克服すると共に、製造コスト及びパッケージングコストを削減することと、環境への影響がより小さいこととの両方を可能にする、デンタルフロスのパッケージ及び小出し構造を提供することである。
【課題を解決するための手段】
【００１３】
この目的は、添付の実用新案登録請求の範囲において言及されている特徴によって達成される。
【００１４】
特に、本考案の第１の態様によると、デンタルフロスが糸巻きの形状で収容され、ボックス形のボディを備え、切断刃と、閉鎖ボディと、掛けて陳列するための開口（３ｃ）が設けられている付属ボディ（３、２３）とをさらに備えるタイプのデンタルフロスパッケージであって、前記付属ボディは、前記ボックス形のボディ又は前記閉鎖ボディと一体的に得られるが、弱化線（６）に沿って分離可能であり、前記ボックス形のボディ（１、１１、２１、１１０）及び前記閉鎖ボディ（２、１２、２２、１２０）もまた、一体的に得られると共に、細い折り目（５）に沿って接合されており、前記ボックス形のボディ（１、１１、２１、１１０）は、前記糸巻き（４）を囲む壁によって、前記閉鎖ボディ（２、１２、２２、１２０）と嵌合（interference-coupled）されている、デンタルフロスパッケージが提供される。
【００１５】
別の態様によると、前記細い折り目（５）を中心として１８０度倒される前記閉鎖ボディ（２、１２、２２、１２０）は、前記ボックス形のボディ（１）と結合されて、前記デンタルフロスの前記糸巻き（４）を囲むハウジングを形成することができる。
【００１６】
独創的な態様によると、前記ボックス形のボディ（１、２１）及び前記閉鎖ボディ（２、２２）は実質的に平坦プレート（１ａ、２ａ）からなり、該平坦プレート（１ａ、２ａ）からは、互いに嵌合して前記ハウジングを形成する傾向にあるリブ及び外周壁（１ｂ、２ｂ）が垂直方向に突出している。
【００１７】
別の態様によると、前記閉鎖ボディ（２、１２、２２、１２０）はカップ形である。
【００１８】
さらなる態様によると、前記リブ（１ｂ）は、前記ボックス形のボディ（１）から隆起しており、前記デンタルフロスの出口用のスリット（１ｄ）を有し、前記外周壁（２ｂ）は、前記閉鎖ボディ（２）から隆起しており、前記スリット（１ｄ）の端とは反対の該外周壁（２ｂ）の端に、切断刃（２ｈ）用の固定部（２ｃ）を有する。
【００１９】
さらに、前記ボックス形のボディの前記平坦プレート（１ａ）には、前記出口スリット（１ｄ）と前記切断刃（２ｈ）とをつなぐ線が延びる位置に近接して切欠部（１ｇ）が形成されている。
【００２０】
好適な態様によると、前記パッケージの側壁の、前記出口スリット（１ｄ）と前記切断刃（２ｈ）とをつなぐ線によって影響を受ける領域には、ループ又はリセスが設けられている。
【００２１】
別の態様によると、前記付属ボディ（２３）には、閉鎖シート（２５）によって閉鎖することができる、糸巻きを保管するためのハウジング（２４）が設けられている。
【００２２】
さらに別の態様によると、前記ボックス形のボディ（１、２１）、前記閉鎖ボディ（２、２２）、及び前記付属ボディ（３、２３）は、すべて一体的に得られる。
【００２３】
よりさらに別の態様によると、前記ボックス形のボディ（１、１１、２１、１１０）と前記閉鎖ボディ（２、１２、２２、１２０）との間には、互いに係合するキャッチ（１１１）及びリセス（１２１）が設けられている。
【００２４】
本考案のさらなる特徴及び利点は、いかなる場合も、単に非限定的な例として与えられると共に添付の図面に示されるいくつかの好適な実施形態の以下の詳細な説明からより明らかになる。
【図面の簡単な説明】
【００２５】
【図１】本考案によるパッケージの第１の実施形態の展開した上面図である。
【図２】ボックス要素を形成するように折り曲げた図１と同じパッケージの上面図である。
【図２Ａ】図２と同様の図であるが、斜視図である。
【図３】図２のパッケージの一部が切り取られている上面図である。
【図４】図１の実施形態と比較して変更された実施形態の斜視図である。
【図５】図１の図と完全に同様の図であるが、本考案の実施形態の第２の変形形態に関する。
【図６】図４の図と完全に同様の図であるが、本考案の実施形態の第２の変形形態に関する。
【図７】図２の図と完全に同様の図であるが、本考案の実施形態の第３の変形形態に関する。
【図８】図７の実施形態の側面図である。
【図９】図７の実施形態の２つの対向する側面のうちの一方の斜視図である。
【図１０】図７の実施形態の２つの対向する側面のうちの一方の斜視図である。
【図１１】図７の実施形態の展開した状態の斜視図である。
【図１２】本考案の変形形態に係る閉鎖したパッケージの斜視図である。
【図１３】本考案の変形形態に係る開いたパッケージの斜視図である。
【考案を実施するための形態】
【００２６】
本考案に係るパッケージは、図１及び図２に示される実施形態によると、容器の機能を有するメインボディ１と、カバーの機能を有する閉鎖ボディ２と、陳列時に懸架手段の機能を有する付属ボディ３とを備える。
【００２７】
容器１は平坦プレート１ａからなり、該平坦プレート１ａからは、容器１の側壁を実際に確定する、実質的に閉じた外周の輪郭を画定するような形状のリブ１ｂが、垂直方向に隆起している。
【００２８】
リブ１ｂによって画定される空間の中央には、ピボット機能を有するピン１ｃが、プレート１ａからさらに突出している。このピボット１ｃには、容器１内に収容されている（
例えば３１ｍｍの直径を有する）デンタルフロス糸巻き４の中心軸が保持されることが意図される。
【００２９】
リブ１ｂは、糸巻き４のデンタルフロスの取り出し口のためのスリット１ｄを形成する、少なくとも１つの中断部を有する。平坦プレート１ａ上には、そのような中断部に近接して、デンタルフロスの引き出し方向を示すことが意図される矢印形状Ｆを設けてもよい。そのような形状Ｆはレリーフになっている。
【００３０】
さらに、短い保護リブ１ｅが平坦プレート１ａから隆起している。短い保護リブ１ｅは、ユーザーの指を、下に位置する切断刃と偶発的に当たることから保護することが意図される。これは以下に示される。
【００３１】
好適な実施形態によると、平坦プレート１ａ上に、切欠部又はホール１ｇをさらに設けることができ、切欠部又はホール１ｇの機能は以下に開示される。
【００３２】
容器ボディ１には、カバーボディ２が繋がっており、カバーボディ２も平坦プレート２ａからなり、該平坦プレート２ａからは、リブ１ｂの線と厳密に同様の線を辿る外周壁２ｂによって画定されているカップが延出している。上記リブとは異なり、カップの外周壁２ｂの輪郭は、以下でより良く開示されると共に図３及び図４にはっきりと示されるように、閉じたボックス要素を形成するために、外力による結合によって外側からリブ１ｂと結合するように、該リブ１ｂと完全に近接すると共に、該リブ１ｂの幅よりもわずかに幅広である。
【００３３】
カバー２のカップの角部と対応して、外周２ｂは固定部２ｃを有し、該固定部２ｃには、図２Ａ及び図３により良く示される態様で、刃又は金属切断爪２ｈが外側に設けられている。
【００３４】
しかしながら、対向する角部に対応して、カバー２のカップは、スリット１ｄに隣接して落ち込むことを意図する細いスリット（図では見えない）を有し、デンタルフロスは該スリットを通って延びることができる。
【００３５】
付属ボディ３は、カバー２の側とは反対の側において容器ボディ１とさらに繋がっており、該付属ボディ３は実質的に平坦プレート３ａからなり、好感を持たせるように成形されていると共に、より厚い補剛エッジ３ｂが外周に設けられていてもよい。
【００３６】
ボディ３の周縁領域、すなわち容器ボディ１から離間した領域には、開口３ｃがさらに形成されており、該開口３ｃにはさらに、パッケージの懸架用のアイレットの機能を果たす傾向にある、より厚い補剛エッジ３ｄを設けることができる。
【００３７】
本考案によると、これらの３つのボディ１、２、及び３は、単一の部品上に連続して交互に配置されており、厚さが低減した部分のみによって互いに隔てられている。特に、容器ボディ１とカバーボディ２との間には、ボディ２をボディ１上に１８０度折り曲げることを容易にすることが意図される折り目５が設けられている。容器ボディ１と付属ボディ３との間には、その代わりに弱化線又は引き裂き線６が設けられており、例えば該弱化線又は引き裂き線６に沿ってミシン目が設けられている。この弱化線６は、付属ボディ３を容器１から手で容易に分離することを可能にすることが意図される。
【００３８】
実際には、アイレット３ｃを有するボディ３は、例えば公衆に対して陳列する目的で本質的にパッケージ懸架機能を果たすことが意図され、ボディ２は、正確には該ボディ２がボディ１に折り重なることによって、図４に示されるもののような糸巻き４を収容するた
めの、上記閉じたボックス要素を形成する傾向にある。
【００３９】
３つのボディ１、２、及び３からなる単一部品の製造は、例えば完全に透明であるか又は部分的に透明なプラスチック材料を成形することによって行うことができる。特に、溶融プラスチック材料を高圧射出することによって、その中でデバイスを得るのに適した金型を準備することができるか、又は、熱変形されることになる平坦な熱成形プラスチックプレートがその中に導入される金型を準備することができる。
【００４０】
したがって、製造プロセスは、図１、図５及び図１１に示される単一部品の簡単な成形と、その後の爪２ｈの取り付けと、カップ２上に出口スリット２ｄを切り込むこと、次いで、デンタルフロスの糸巻きを導入すること、及びカバー２を容器ボディ１上に被せることを提供する。
【００４１】
したがって、この容器／ディスペンサーは、付属ボディ３に設けられている開口部３ｃによって吊るされて陳列されることができるので、販売に供される準備も整っている。
【００４２】
公衆へのより良い陳列のために、デンタルフロスを容器から部分的に引き出して、自由端部によって爪２ｈに固定して配置することが提案される。この準備によって、本考案の容器の機能及び使用がユーザーに対して即座に明らかになる。フロスの自由端部は、消費者のためのさらなる安全対策として、接着性の保証ラベルと結合されるのがよい。
【００４３】
リブ１ｂとカップ２ｂの外周との相対的なサイズ決めは、これらが実質的に防塵式に互いに密接して結合されるようなものであるため、その閉鎖は、接着剤又は他の接合材料を加える必要なく維持され、上記ボックス要素は、糸巻きを外部物質から完璧に保護する。
【００４４】
ボディ２とボディ１とのこの結合において、カップの切欠部２ｄは、フロスの取り出しを可能にするように、それ自体がボディ１のスリット１ｄと対向してスリット１ｄから短い距離を置いて配置される。
【００４５】
同時に、切断刃２ｈが支持される固定部２ｃはそれ自体が、対向する保護リブ１ｅから比較的離間しているリブ１ｂの部分１ｆと対向して配置され、いかなる場合にも、使用時のデンタルフロスの切断及び切り取り（cutting and cutting off）のための容易な関与
を可能にする。
【００４６】
デンタルフロスは通常、切欠部２ｄと刃２ｈとの間の実質的に直線的な経路を辿り、それらの間でしっかりと保持される。
【００４７】
したがって、フロスは、スリット１ｄから出て、切断刃２ｈに向かって直線的な経路を辿り、この部分では、カバー２の側壁が、フロスが出るこの側においてループ又はリセスを有するため、カバーの側壁から分離されたままである。それによって、フロスを指で容易に把持して取り出し、最終的には所望の長さで切り取ることができる。
【００４８】
好適な実施形態によると、カバーの側壁のループに正確に近接している、平坦プレート１ａにあるホール１ｇは、直線的なフロス部分の両側に２本の指を挿入することを容易にする。
【００４９】
図１〜図４の実施形態では、メインボディ１及びそのカバー形ボディ２は、側壁が湾曲した実質的に台形の形状を有し、懸架ボディ３は側縁が凹状になった矩形形状を有する。
【００５０】
図５の実施形態の場合ではその代わりに、すべての３つのボディ１１、１２、及び１３
が実質的に矩形の形状を有する。残りの部分に関しては、この実施形態は、図１〜図４の実施形態と同じ技術的な特徴を有する。
【００５１】
図７〜図１１の実施形態においても同様に、パッケージは、一体的に得られる３つの要素を有するタイプのものであり、すなわち、デンタルフロスの糸巻き４を収容するボックス要素を形成するメインボディ２１と、カバー形ボディ２２と、付属懸架ボディ２３とを備える。これらの３つのボディは、側面形状が異なっていると容易に考えがちであるが、図１〜図４の実施形態の側面形状と同一の側面形状を有する、という輪郭を有する。
【００５２】
しかしながら、先の実施形態に勝るこの実施形態の有利な特徴は、付属ボディ２３に、デンタルフロスの取替用糸巻きのためのさらなるハウジング２４が形成されることにある。
【００５３】
この場合、ハウジング２４は、取替用糸巻きを挿入した後で、該ハウジング２４を、例えば紙又は金属又はプラスチック（ＰＥＴ又はＰＬＡ等）材料のフィルムからなる閉鎖シート２５と結合することによって、閉鎖することができる。閉鎖シートの結合は、（材料がパッケージの材料と適合するものであれば）接着又は熱接合を用いた従来の方法で行うことができる。閉鎖シート２５には、使用の説明又は他の有用な情報を印刷することができる。
【００５４】
図１２及び図１３には、さらなる実施形態が示されており、この実施形態は、既に説明した実施形態と大部分が同様である。この場合、メインボディ１１０とカバー１２０との、側壁１１０ｂに沿ったより確実で安全な結合を得るために、カバー１２０のカップの側面の輪郭に得られる対応する溝又はリセス１２１と結合されることが意図される、キャッチ又はリブ１１１が外面に得られる。図示のように、キャッチ１１１及び対応するリセス１２１は、メインボディとカバーとの結合面に沿って均等に配置され、例えば、側面のそれぞれに２つ、及びフロス出口壁に対向する壁に１つ存在する。
【００５５】
上記で述べられた説明から推察することができるように、前述の事項に記載されている目的は完璧に達成される。
【００５６】
実際には、本考案の教示によって、単一部品のデンタルフロス容器／ディスペンサーを製造することが可能であり、したがって、単一部品のデンタルフロス容器／ディスペンサーはほとんど組み立て作業を必要とせず、販売陳列用にも既に構成されており、これによってさらなるパッケージを提供する必要性から解放され、コスト及び環境への影響に有益な効果を有する。パッケージの組み立ては、接着剤又は他の接合システムの使用を必要とせず、したがって、フロス糸巻きの装填を行うパッケージングライン上において直接行うことができる。
【００５７】
本考案は、本考案のいくつかの例示的な実施形態を示す上述した特定の構成に限定されるとみなされるべきではない。添付の実用新案登録請求の範囲に規定される本考案の保護範囲から逸脱することなく、当業者が想到するすべての範囲内で、多様な変形形態が可能であることが理解される。
【００５８】
例えば、適した成形技法を用いることによって、パッケージを、プラスチック以外の材料、例えば薄い金属を用いて製造することが可能である。
【図１】
0003192052.tif 000003
【図２】
0003192052.tif 000004
【図２Ａ】
0003192052.tif 000005
【図３】
0003192052.tif 000006
【図４】
0003192052.tif 000007
【図５】
0003192052.tif 000008
【図６】
0003192052.tif 000009
【図７】
0003192052.tif 000010
【図８】
0003192052.tif 000011
【図９】
0003192052.tif 000012
【図１０】
0003192052.tif 000013
【図１１】
0003192052.tif 000014
【図１２】
0003192052.tif 000015
【図１３】
0003192052.tif 000016